(57)【要約】【課題】電子部品の位置決めが容易な光ピックアップ装置を提供する。【解決手段】光ディスクの信号記録面に対して信号の記録又は再生動作が行われるように、レーザダイオードから出射されたレーザ光を案内する光学系を構成する複数の構成部品と、  前記レーザダイオードと前記複数の構成部品が載置されるとともに、前記複数の構成部品のうちの所定の電子部品を位置決めするための位置決め孔を有するハウジングと、  前記位置決め孔の内部において、前記所定の電子部品が位置決めされるように前記所定の電子部品に対して弾性力を付与する可撓性部材と、を備える。【選択図】図１３
2014021997.tif 000002
【特許請求の範囲】
【請求項１】
光ディスクの信号記録面に対して信号の記録又は再生動作が行われるように、レーザダイオードから出射されたレーザ光を案内する光学系を構成する複数の構成部品と、
前記レーザダイオードと前記複数の構成部品が載置されるとともに、前記複数の構成部品のうちの所定の電子部品を位置決めするための位置決め孔を有するハウジングと、
前記位置決め孔の内部において、前記所定の電子部品が位置決めされるように前記所定の電子部品に対して弾性力を付与する可撓性部材と、
を備えたことを特徴とする光ピックアップ装置。
【請求項２】
前記可撓性部材は、シートの形状を呈し、前記位置決め孔の内部において、環状に曲げられた状態で隣り合う前記所定の電子部品に対して前記弾性力を付与する
ことを特徴とする請求項１に記載の光ピックアップ装置。
【請求項３】
前記可撓性部材が前記位置決め孔の内部の所定位置で止まるように、前記可撓性部材の移動を規制する規制部材、
を更に備えたことを特徴とする請求項２に記載の光ピックアップ装置。
【請求項４】
前記規制部材は、
環状に曲げられた前記可撓性部材の外側に設けられる電子部品と、
前記電子部品が当接するべく前記位置決め孔の内部に設けられる突出片と、
からなることを特徴とする請求項３に記載の光ピックアップ装置。
【請求項５】
前記ハウジングを覆ったとき、前記電子部品が前記突出片に当接するように前記可撓性部材を押下する形状を呈するカバー、
を更に備えたことを特徴とする請求項４に記載の光ピックアップ装置。
【請求項６】
前記可撓性部材は、前記ハウジングに載置される可撓性基板の一部として前記可撓性基板の端部に形成される
ことを特徴とする請求項２に記載の光ピックアップ装置。
【請求項７】
前記所定の電子部品は、フロントモニタダイオードである
ことを特徴とする請求項１乃至６の何れかに記載の光ピックアップ装置。
【発明の詳細な説明】
【技術分野】
【０００１】
本発明は、光ピックアップ装置に関する。
【背景技術】
【０００２】
例えば、レーザダイオードから出射されたレーザ光を案内するための光学系を構成する構成部品と、当該構成部品が載置されるハウジングとを含んで構成される光ピックアップ装置が知られている（特許文献１）。
【先行技術文献】
【特許文献】
【０００３】
【特許文献１】特開２００９−３７６７１号公報
【発明の概要】
【発明が解決しようとする課題】
【０００４】
例えば、特許文献１の光ピックアップ装置において、光学系を構成する構成部品は、ハウジングに対して接着剤で接着されて位置決めされる。このため、例えば、構成部品の位置決めのときに接着剤を塗布する必要があり、構成部品の位置決めの作業が煩雑となる虞がある。
【課題を解決するための手段】
【０００５】
前述した課題を解決する主たる本発明は、光ディスクの信号記録面に対して信号の記録又は再生動作が行われるように、レーザダイオードから出射されたレーザ光を案内する光学系を構成する複数の構成部品と、前記レーザダイオードと前記複数の構成部品が載置されるとともに、前記複数の構成部品のうちの所定の電子部品を位置決めするための位置決め孔を有するハウジングと、前記位置決め孔の内部において、前記所定の電子部品が位置決めされるように前記所定の電子部品に対して弾性力を付与する可撓性部材と、を備えたことを特徴とする光ピックアップ装置である。
【０００６】
本発明の他の特徴については、添付図面及び本明細書の記載により明らかとなる。
【発明の効果】
【０００７】
本発明によれば、電子部品の位置決めが容易な光ピックアップ装置を提供できる。
【図面の簡単な説明】
【０００８】
【図１】本発明の実施形態に係る光ピックアップ装置の光学系の構成を示す図である。
【図２】本発明の実施形態に係る光ピックアップ装置の光学系の一部の構成を示す図である。
【図３】本発明の実施形態に係る光ピックアップ装置を示す斜視図である。
【図４】本発明の実施形態に係る光ピックアップ装置を示す分解斜視図である。
【図５】本発明の実施形態におけるハウジングを示す斜視図である。
【図６】本発明の実施形態における、光学素子及び第１及び第２放熱板が固定された状態のハウジングを示す斜視図である。
【図７】本発明の実施形態におけるレーザ光源を示す斜視図である。
【図８】本発明の実施形態における、回路基板が固定された状態のハウジングを示す斜視図である。
【図９】本発明の実施形態における、光ディスク側から見た状態の回路基板とＦＰＣとを示す図である。
【図１０】本発明の実施形態における、光ディスク側とは反対側から見た状態の回路基板とＦＰＣとを示す図である。
【図１１】本発明の実施形態におけるＦＰＣの一部とフロントモニタダイオードとを示す斜視図である。
【図１２】本発明の実施形態におけるＦＰＣが固定された状態のハウジングの一部を示す斜視図である。
【図１３】本発明の実施形態におけるＦＰＣが固定された状態のハウジングを示す断面図である。
【図１４】本発明の実施形態におけるカバーを示す斜視図である。
【図１５】本発明の実施形態におけるカバーを示す断面図である。
【図１６】本発明の実施形態における、光ディスクと対向する側とは反対側から見た状態の、光学素子が固定されたハウジングを示す斜視図である。
【図１７】本発明の実施形態における、第１及び第２放熱板と回路基板とを示す斜視図である。
【図１８】本発明の実施形態における、ケーブルが取り付けられた状態の光ピックアップ装置を示す斜視図である。
【発明を実施するための形態】
【０００９】
本明細書および添付図面の記載により、少なくとも以下の事項が明らかとなる。
【００１０】
＝＝＝光ピックアップ装置の光学系＝＝＝
以下、図１、図２を参照して、本実施形態における光ピックアップ装置の光学系について説明する。図１は、本実施形態に係る光ピックアップ装置の光学系の構成を示す図である。図２は、本実施形態に係る光ピックアップ装置の光学系の一部の構成を示す図である。
【００１１】
光ピックアップ装置１００は、回転する光ディスク５（図３）にレーザ光を照射し、光ディスク５で反射されるレーザ光の反射光を検出する装置である。光ピックアップ装置１００によって情報の記録又は再生が行われる光ディスク５は、ＤＶＤ（Ｄｉｇｉｔａｌ  Ｖｅｒｓａｔｉｌｅ  Ｄｉｓｃ）規格の光ディスク（以下、「第１光ディスク５Ａ」と称する）、ＣＤ（Ｃｏｍｐａｃｔ  Ｄｉｓｃ）規格の光ディスク（以下、「第２光ディスク５Ｂ」と称する）等である。光ピックアップ装置１００は、第１光ディスク５Ａ、第２光ディスク５Ｂに照射されるレーザ光の光路に沿った光学系を有する。
【００１２】
光ピックアップ装置１００の光学系は、ＤＶＤ規格及びＣＤ規格用の光学系であり、レーザ光源１１（レーザダイオード）、光検出器１３及びフロントモニタダイオード１９の電子部品（以下、「光ピックアップ装置１００の電子部品」とも称する）と、回折格子１２、検出レンズ１４、ビームスプリッタ１５、１／４波長板１６、コリメータレンズ１７、立ち上げミラー１８、対物レンズ６１１（図２）の光学部品（以下、「光ピックアップ装置１００の光学部品」とも称する）とから構成される。
【００１３】
レーザ光源１１は、第１光ディスク５Ａに照射する赤色波長帯（６４５ｎｍ〜６７５ｎｍ）のうち例えば６５５ｎｍの波長と、第２光ディスク５Ｂに照射する赤外波長帯（７６５ｎｍ〜８０５ｎｍ）のうち例えば７８５ｎｍの波長の、異なる２波長のレーザ光を選択的に出射する。レーザ光源１１は、例えば６５５ｎｍの波長のレーザ光を出射する第１レーザダイオード１１１と、例えば７８５ｎｍの波長のレーザ光を出射する第２レーザダイオード１１２とを有する。
【００１４】
回折格子１２は、レーザ光源１１が出射したレーザ光から、０次光、＋１次回折光、−１次回折光を生成する。
【００１５】
ビームスプリッタ１５は、例えば、Ｐ偏光のレーザ光を反射し、Ｓ偏光のレーザ光を透過する平板型のビームスプリッタである。ビームスプリッタ１５は、回折格子１２から入射するＰ偏光のレーザ光を１／４波長板１６の方向へ反射する。このとき、ビームスプリッタ１５は、レーザ光の強度を調整するために、レーザ光の一部をフロントモニタダイオード１９（所定の電子部品）の方向に透過するものとする。尚、フロントモニタダイオード１９は、ビームスプリッタ１５から入射された一部のレーザ光の強度に基づいて、レーザ光の強度を調整するための光学素子である。又、１／４波長板１６から入射するレーザ光の反射光は、例えば、第１光ディスク５Ａ又は第２光ディスク５Ｂで反射してＳ偏光のレーザ光となっている。よって、ビームスプリッタ１５は、レーザ光の反射光を検出レンズ１４の方向へ透過する。
【００１６】
１／４波長板１６は、ビームスプリッタ１５から入射するレーザ光を、直線偏光光から円偏光光に変換する。又、１／４波長板１６は、コリメートレンズ１７から入射するレーザ光の反射光を、円偏光光から直線偏光光に変換する。  
コリメートレンズ１７は、１／４波長板１６から入射するレーザ光を平行光に変換する。
【００１７】
立ち上げミラー１８は、コリメートレンズ１７から入射するレーザ光を、第１光ディスク５Ａ又は第２光ディスク５Ｂの信号記録面に垂直な方向に反射する。又、立ち上げミラー１８は、対物レンズ６１１から入射するレーザ光の反射光を、コリメートレンズ１７の方向に反射する。
【００１８】
対物レンズ６１１は、立ち上げミラー１８から入射したレーザ光を、第１光ディスク５Ａ又は第２光ディスク５Ｂの信号記録面における信号記録層に集光する。
【００１９】
第１光ディスク５Ａ又は第２光ディスク５Ｂの信号記録層で反射したレーザ光の反射光は、対物レンズ６１１によって平行光に変換された後、立ち上げミラー１８、コリメートレンズ１７を介して１／４波長板１６に入射し、１／４波長板１６によって円偏光光から直線偏光光に変換される。直線偏光光となったレーザ光の反射光は、ビームスプリッタ１５を介して検出レンズ１４に入射する。
【００２０】
検出レンズ１４は、ビームスプリッタ１５から入射されるレーザ光の反射光を、光検出器１３に集光させるとともに、レーザ光の反射光に非点収差を発生させてフォーカスエラー信号を生成する。尚、フォーカスエラー信号とは、例えば、レンズホルダ３００（図４）を対物レンズ６１１の光軸方向（図５のＺ軸）に変位させる際に用いられる信号である。  
光検出器１３は、検出レンズ１４から入射されるレーザ光の反射光を光電変換する。
【００２１】
尚、光ピックアップ装置１００の電子部品及び、光ピックアップ装置１００の光学部品が、複数の構成部品に相当する。そして、複数の構成部品は、第１光ディスク５Ａ又は第２光ディスク５Ｂの信号記録面に対して信号の記録又は再生動作が行われるように、レーザ光源１１から出射されたレーザ光を案内する光学系を構成する。
【００２２】
＝＝＝光ピックアップ装置＝＝＝
以下、図３、図４を参照して、本実施形態に係る光ピックアップ装置について説明する。図３は、本実施形態に係る光ピックアップ装置を示す斜視図である。尚、光ディスク５を回転させるためのスピンドルモータ（不図示）の回転軸５０は、説明の便宜上、一点鎖線で示されている。光ディスク５は、一部が省略された状態で、点線で示されている。図４は、本実施形態に係る光ピックアップ装置を示す分解斜視図である。
【００２３】
本実施形態において、Ｚ軸は、光ディスク５を回転させるスピンドルモータの回転軸５０の長手方向（フォーカス方向、垂直方向）に沿う軸であり、光ピックアップ装置１００から光ディスク５（上側）へ向かう方向を＋Ｚ方向とし、光ディスク５から光ピックアップ装置１００（下側）へ向かう方向を−Ｚ方向とする。尚、第１光ディスク５Ａ、第２光ディスク５Ｂのうち、スピンドルモータによって回転される光ディスクを、説明の便宜上、光ディスク５と称する。Ｘ軸は、光ディスク５の径方向（トラッキング方向、ラジアル方向）に光ピックアップ装置１００が移動する方向に沿う軸であり、光ピックアップ装置１００が回転軸５０から離れる方向を＋Ｘ方向とし、光ピックアップ装置１００が回転軸５０に近づく方向を−Ｘ方向とする。Ｙ軸は、光ディスク５のタンジェンシャル方向に沿う軸であり、ハウジング２における一方の側面２１から他方の側面２２に向かう方向を＋Ｙ方向とし、ハウジング２における他方の側面２２から一方の側面２１に向かう方向を−Ｙ方向とする。
【００２４】
光ピックアップ装置１００（図４）は、ハウジング２、光ピックアップ装置１００の光学部品、アクチュエータ３、第１放熱板４１、第２放熱板４２、回路基板６、フレキシブルプリント基板（Ｆｌｅｘｉｂｌｅ  Ｐｒｉｎｔｅｄ  ｃｉｒｃｕｉｔ:ＦＰＣ）７、７００、カバー８を有する。
【００２５】
アクチュエータ３は、レンズホルダ３００をフォーカス方向及びトラッキング方向に変位させる装置である。回路基板６、ＦＰＣ７、７００は、光ピックアップ装置１００を制御するための基板である。第１放熱板４１は、レーザ光源１１で発生する熱を放散するための金属製の板である。第２放熱板４２は、ドライバＩＣ６１（図１０）で発生する熱を放散するための金属製の板である。カバー８は、ハウジング２を覆う金属製の蓋である。ハウジング２には、光ピックアップ装置１００の光学部品、光ピックアップ装置１００の電子部品及び、アクチュエータ３が載置される。
【００２６】
＝＝＝ハウジング＝＝＝
以下、図４、図５を参照して、本実施形態におけるハウジングについて説明する。図５は、本実施形態におけるハウジングを示す斜視図である。尚、光ディスク５を回転させるためのスピンドルモータの回転軸５０は、説明の便宜上、一点鎖線で示されている。
【００２７】
ハウジング２は、光ピックアップ装置１００の光学部品、光ピックアップ装置１００の電子部品、アクチュエータ３、第１放熱板４１、第２放熱板４２、回路基板６、ＦＰＣ７（可撓性基板）、ＦＰＣ７００が載置される例えば樹脂製のハウジングである。更に、ハウジング２には、カバー８が取り付けられる。
【００２８】
ハウジング２は、タンジェンシャル方向（Ｙ軸方向）に延びた形状を呈する。トラッキング方向における回転軸５０に近い側（−Ｘ）の端部２３は、例えば、スピンドルモータ（不図示）を回避するように所定の曲率をもって抉られた形状を呈する。トラッキング方向において回転軸５０から遠い側（＋Ｘ）の端部２４のタンジェンシャル方向の幅は、例えば、ハウジング２の小型化のために、回転軸５０から離れるにつれて短くなっている。
【００２９】
ハウジング２は、窪み２３１乃至２３３、複数の突起２５１乃至２５３、突起２７３、２７４、爪２６１乃至２６４、孔２６５、２７１、２７２、溝２５５乃至２５８、軸受２１０、２２０、２２１、雌ネジ２５を有する。
【００３０】
窪み２３３内には、アクチュエータ３が載置される。窪み２３３は、トラッキング方向における回転軸５０から近い側（−Ｘ）、且つ、タンジェンシャル方向における側面２２側（＋Ｙ）に設けられる。
【００３１】
窪み２３２内には、第２放熱板４２が載置される。窪み２３２は、トラッキング方向において窪み２３３よりも回転軸５０から遠い側（＋Ｘ）に設けられる。窪み２３２は、タンジェンシャル方向に沿って延びた形状を呈する。タンジェンシャル方向における窪み２３２の一方側（−Ｙ）の深さは、窪み２３２の他方側（＋Ｙ）の深さよりも深くなっている。よって、窪み２３３は、窪み２３３の底が第２放熱板４２の下側（−Ｚ）の面に沿うような形状を呈することとなる。
【００３２】
窪み２３１内には、レーザ光源１１が載置される。尚、レーザ光源１１については、後述する。窪み２３１は、トラッキング方向において窪み２３３よりも回転軸５０から遠い側、且つ、タンジェンシャル方向において窪み２３２よりも−Ｙ側に設けられる。窪み２３１内の＋Ｘ側の底には、孔２５Ａが設けられる。孔２５Ａは、窪み２３１の底に載置されたレーザ光源１１の端子１１１乃至１１３を、光ディスク５と対向する側とは反対側（−Ｚ）に露出させるように形成される。
【００３３】
複数の突起２５１乃至２５３は、ハウジング２に対する回路基板６の位置決めを行うのに用いられる。突起２５３は、ハウジング２に対する第２放熱板４２の位置決めを行うのに用いられる。突起２５３は、ハウジング２に対して第２放熱板４２が固定されるときに、第２放熱板４２の孔４２１（図４）と対向する位置に設けられる。突起２５１乃至突起２５３は夫々、ハウジング２に対して回路基板６が固定されるときに、回路基板６の孔６５１乃至６５３（図１０）と対向する位置に設けられる。
【００３４】
突起２７３、２７４は、ハウジング２に対するＦＰＣ７の位置決めを行うに用いられる。突起２７３、２７４は夫々、ハウジング２に対してＦＰＣ２が固定されるときに、ＦＰＣ７の孔７１３、７１４（図９）と対向する位置に設けられる。
【００３５】
孔２７１（位置決め孔）、孔２７２は夫々、ハウジング２に対してフロントモニタダイオード１９、光検出器１３を位置決めするための貫通孔である。孔２７１、孔２７２には夫々、フロントモニタダイオード１９、光検出器１３が設けられる。孔２７１、２７２は夫々、ハウジング２に対してＦＰＣ２が固定されるときに、ＦＰＣ７に固定されているフロントモニタダイオード１９、光検出器１３と対向する位置に設けられる。尚、孔２７１については後述する。
【００３６】
溝２５５乃至２５８には、ハウジング２に対してレーザ光源１１が固定されるときに接着剤が塗布される。尚、ハウジング２に対するレーザ光源１１の固定については、後述する。溝２５５乃至２５８は、窪み２３１の底にレーザ光源１１が載置されたときに、レーザ光源１１の金属板１１４（図７）の四隅と対向する位置に形成される。
【００３７】
爪２６２は、ハウジング２に対して第１放熱板４１を固定するための部材である。爪２６２は、ハウジング２に対して第１放熱板４１が固定されるときに、第１放熱板４１の孔４１１と対向する位置に設けられる。爪２６２は、孔４１１に挿通されて第１放熱板４１と係合するような形状を呈する。
【００３８】
爪２６３、２６４は、ハウジング２に対して回路基板６を固定するための一対の部材である。爪２６３は、ハウジング２に対して回路基板６が固定されるときに、回路基板６の一方の端部（−Ｙ）と対向する壁体２１５に設けられる。爪２６４は、ハウジング２に対して回路基板６が固定されるときに、回路基板６の他方の端部（＋Ｙ）と対向する壁体２２５に設けられる。爪２６３は、壁体２１５の内側（＋Ｙ）の面と、爪２６３の＋Ｙ側の面との間のタンジェンシャル方向の距離が、上側（＋Ｚ）から下側（−Ｚ）に向かうにつれて長くなるような形状を呈する。つまり、爪２６３は、爪２６３の＋Ｙ側の面が＋Ｙ側且つ下側に向かって傾斜するような形状を呈する。爪２６４は、壁体２２５の内側（−Ｙ）の面と、爪２６４の−Ｙ側の面との間のタンジェンシャル方向の距離が、上側から下側に向かうにつれて長くなるような形状を呈する。つまり、爪２６４は、爪２６４の−Ｙ側の面が−Ｙ側且つ下側に向かって傾斜するような形状を呈する。例えば、ハウジング２に対して回路基板６が取り付けられるとき、回路基板６の一方側及び他方側の端部は夫々、爪２６３の＋Ｙ側の面、爪２６４の−Ｙ側の面に沿って、爪２６３、２６４の上側から爪２６３、２６４の下側に移動されることとなる。爪２６３、２６４は夫々、回路基板６の一方側及び他方側の端部が夫々爪２６３、２６４の下側に配置されたときに、回路基板６がフォーカス（Ｚ軸）方向においてハウジング２の底板における上面と爪２６３、２６４との間に挟まれるような位置に設けられているものとする。このとき、回路基板６のフォーカス方向の移動が規制されて、ハウジング２に対して固定されることとなる。
【００３９】
爪２６１、孔２６５はハウジング２に対してカバー８を固定するのに用いられる。爪２６１、孔２６５は夫々、ハウジング２に対してカバー８が固定されるときに、カバー８（図１３）の取付片８１、取付片８２と対向する位置に設けられる。爪２６１は、取付片８１の孔８１Ａに挿通されて取付片８１と係合するような形状を呈する。孔２６５の内部には、孔２６５内に挿入された取付片８２と係合するような係合部が形成される。更に、ハウジング２における、回転軸５０に近い側（−Ｘ）の端部２３には、爪２６１と同様な爪（以下、「端部２３の爪」と称する）が設けられる。端部２３の爪は、ハウジング２に対してカバー８が固定されるときに、カバー８の取付片８３と対向する位置に設けられる。端部２３の爪は、取付片８３の孔８３Ａに挿通されて取付片８３と係合するような形状を呈する。
【００４０】
雌ネジ２５には、ハウジング２に対してカバー８を固定するための雄ネジ１０１（図４）がねじ入れられる。雌ネジ２５は、ハウジング２に対してカバー８が固定されるときに、カバー８の取付片８４の孔８４Ａと対向する位置に設けられる。
【００４１】
軸受２１０、２２０、２２１は、光ピックアップ装置１００をラジアル方向（Ｘ軸）に移動させるための一対のシャフト（不図示）を支持するための部材である。軸受２１０は、一方の側面２１に設けられる。軸受２１０には、シャフトを支持するためのＵ溝２１Ａが形成される。軸受２２０、２２１は、他方の側面２２に設けられる。軸受２２０、２２１には夫々、シャフトを支持するための孔２２Ａ、２２Ｂが形成される。
【００４２】
＝＝＝第１放熱板、第２放熱板＝＝＝
以下、図４、図６を参照して、本実施形態における第１放熱板、第２放熱板について説明する。図６は、本実施形態における、光学素子及び第１及び第２放熱板が固定された状態のハウジングを示す斜視図である。尚、光ディスク５を回転させるためのスピンドルモータの回転軸５０は、説明の便宜上、一点鎖線で示されている。
【００４３】
第１放熱板４１は、レーザ光源１１で発生する熱を放散するための金属板である。第１放熱板４１は、ハウジング２に対して第１放熱板４１が固定されたときに、窪み２３１（図５）を避けるように抉られた形状を呈する。第１放熱板４１（図４）の手前側（＋Ｘ）の端部４１２は、ハウジング２に対して第１放熱板４１が固定されたときにハウジング２の手前側（＋Ｘ）の縁に沿って下側（−Ｚ）に向かって折り曲げられた形状を呈する。端部４１２におけるハウジング２の爪２６２と対向する位置には、爪２６２が挿通される孔４１１が設けられる。孔４１１に対して爪２６２が挿通されて、爪２６２と第１放熱板４１とが係合することによって、ハウジング２に対して第１放熱板４１が固定されることとなる。
【００４４】
第２放熱板４２は、ドライバＩＣ６１で発生する熱を放散するための金属板である。第２放熱板４２は、ハウジング２の窪み２３２内に配設されるように、タンジェンシャル方向（Ｙ軸）に沿って延びた形状を呈する。第２放熱板４２は、窪み２３２内に配設されたときに、第２放熱板４２が窪み２３２の底に沿うに折り曲げられた形状を呈する。
【００４５】
第２放熱板４２には、孔４２１、４２２が設けられる。孔４２１、４２２は夫々、第２放熱板４２が窪み２３２内に配設されたときに、突起２５３、雌ネジ２５と対向する位置に設けられる。孔４２１に対して突起２５３が挿通されるように、第２放熱板４２を窪み２３２内に配設することによって、ハウジング２に対する第２放熱板４２の位置決めが行われることとなる。更に、孔４２２を介して雌ネジ２５に対して雄ネジ１０１をねじ入れることによって、ハウジング２に対して第２放熱板４２が固定されることとなる。
【００４６】
＝＝＝レーザ光源＝＝＝
以下、図７を参照して、本実施形態におけるレーザ光源について説明する。図７は、本実施形態におけるレーザ光源を示す斜視図である。
【００４７】
レーザ光源１１は、端子１１１乃至１１３、金属板１１４、壁体１１５、支持部材１１６、収容体１１７を有する。
【００４８】
収容体１１７には、第１レーザダイオード１１１と第２レーザダイオード１１２とがレーザ光を−Ｘ方向に向かって出射できるように、収容される。収容体１１７は、取付部材（不図示）を介して、金属板１１４の一方（−Ｚ）の面に固定される。
【００４９】
金属板１１４には、収容体１１７が搭載される平板である。金属板１１４は、第１レーザダイオード１１１及び第２レーザダイオード１１２で発生する熱を放散するための放熱板としても機能する。
【００５０】
壁体１１５は、収容体１１７を保護するための絶縁性のフレームである。壁体１１５は、金属板１１４における収容体１１７が取り付けられている一方の面に設けられる。壁体１１５は、収容体１１７の周囲におけるレーザ光を出射される方向（−Ｘ）の一部を除いて、収容体１１７の周囲を取り囲むように設けられる。
【００５１】
支持部材１１６は、壁体１１５が金属板１１４に固定されるように壁体１１５を支持する絶縁性の部材である。支持部材１１６は、壁体１１５の＋Ｘ側の端部から、金属板１１４の他方（＋Ｚ）の面まで連続的に形成される。支持部材１１６は、壁体１１５と一体的に形成される。レーザ光源１１の上側の一部は、支持部材１１６の厚み分だけ隆起することとなる。尚、支持部材１１６及び壁体１１５と、金属板１１４とは、例えば接着剤等を用いて固定される。
【００５２】
端子１１１乃至１１３は、支持部材１１６のレーザ光が出射される方向とは反対側（＋Ｘ）から、＋Ｘ方向に向かって突出している。端子１１１、１１３には夫々、例えば、第１レーザダイオード１１１のアノード、第２レーザダイオード１１２のアノードが接続されている。端子１１２には、例えば、第１レーザダイオード１１１のカソード、第２レーザダイオード１１２のカソードが共通に接続されている。
【００５３】
＝＝＝回路基板＝＝＝
以下、図８乃至図１０を参照して、本実施形態における回路基板について説明する。図８は、本実施形態における、回路基板が固定された状態のハウジングを示す斜視図である。尚、光ディスク５を回転させるためのスピンドルモータの回転軸５０は、説明の便宜上、一点鎖線で示されている。図９は、本実施形態における、光ディスク側から見た状態の回路基板とＦＰＣとを示す図である。図１０は、本実施形態における、光ディスク側とは反対側から見た状態の回路基板とＦＰＣとを示す図である。
【００５４】
回路基板６は、光ピックアップ装置１００を制御するための、例えばリジッド基板である。回路基板６は、ハウジング２に対してハウジング２の上側（＋Ｚ）から取り付けられる。回路基板６は、ハウジング２に設けられた窪み２３１、２３２を覆うように、タンジェンシャル方向（Ｙ軸）において延びた形状を呈する。ハウジング２の壁体２１５、２２５（図５）の間に回路基板６が配設されるように、タンジェンシャル方向における回路基板６の長さは、タンジェンシャル方向における壁体２１５と壁体２２５との間の距離よりも短く設定されている。
【００５５】
回路基板６には、コネクタ６６、孔６５１乃至６５３、６５５、６５、端子６２１乃至６２３、ドライバＩＣ６１が設けられる。
【００５６】
孔６５１乃至６５３（図１０）は、ハウジング２に対する回路基板６の位置決めを行うのに用いられる。孔６５１乃至６５３は夫々、ハウジング２に対して回路基板６が固定されるときに、ハウジング２の突起２５１乃至２５３と対向する位置に設けられる。
【００５７】
孔６５は、ハウジング２に対して回路基板６が固定されるときに、雌ネジ２５と対向する位置に設けられる。
【００５８】
孔６５５は、ハウジング２に対して回路基板６が固定されるときに、レーザ光源１１の支持部材１１６と回路基板６とが干渉するのを防止するために設けられる。孔６５５は、ハウジング２の窪み２３１の一部と対向する位置に設けられる。孔６５５は、ハウジング２に対して固定されたレーザ光源１１の支持部材１１６と対向する位置に設けられる。孔６５５の大きさは、孔６５５内に支持部材１１６が配設されるような大きさに設定される。
【００５９】
端子６２１乃至６２３は、レーザ光源１１からレーザ光を出射するための駆動電流を出力する端子である。尚、当該駆動電流は、ドライバＩＣ６１によって制御されるものとする。端子６２１乃至６２３は夫々、レーザ光源１１の端子１１１乃至１１３と電気的に接続される。端子６２１乃至６２３は、回路基板６におけるハウジング２と対向する側（−Ｚ）の面に設けられる。端子６２１乃至６２３は夫々、ハウジング２に固定されたレーザ光源１１の端子１１１乃至１１３と対向する位置に設けられる。
【００６０】
ドライバＩＣ６１は、レーザ光源１１を制御するための集積回路である。ドライバＩＣ６１は、レーザ光を出射するための駆動電流を制御する。ドライバＩＣ６１は、回路基板６におけるハウジング２と対向する側の面に設けられる。ドライバＩＣ６１は、回路基板６がハウジング２に固定されたときに、ハウジング２の窪み２３２内で第２放熱板４２と接触する位置に、例えば接着剤等を用いて固定される。更に、ドライバＩＣ６１は、コネクタ６６を介して光ディスク装置の回路基板上に形成される光ピックアップ装置１００の制御回路と電気的に接続されるように、回路基板６の配線に対して、例えば半田等で電気的に接続される。尚、当該回路基板６の配線は、コネクタ６６を介して光ピックアップ装置１００の制御回路と電気的に接続されるように、コネクタ６６の端子と電気的に接続されているものとする。
【００６１】
コネクタ６６は、光ピックアップ装置１００と光ピックアップ装置１００を制御する制御回路（不図示）（以下、「光ピックアップ装置１００の制御回路」と称する）とを電気的に接続するのに用いられる。コネクタ６６は、トラッキング方向（Ｘ軸）において回転軸５０から遠い側（＋Ｘ）の端部６Ａの上側（＋Ｚ）側の面に設けられる。尚、コネクタ６６については、後述する。コネクタ６６は、フレキシブルケーブル１０２が挿入される挿入口６６１とは反対側に設けられたレバー６６２を操作することによって、コネクタ６６に対するフレキシブルケーブル１０２の固定を行う、例えば、バックロックタイプのコネクタである。コネクタ６６（図８）は、光ピックアップ装置１００と光ピックアップ装置１００の制御回路とを電気的に接続するために、回路基板６に設けられる。コネクタ６６は、回路基板６の上側（＋Ｚ）の面における、回転軸５０から遠い側（＋Ｘ）の端部６Ａに設けられる。コネクタ６６は、タンジェンシャル方向（Ｙ軸）に沿って延在した長尺形状を呈する。コネクタ６６は、ケース６６０、レバー６６２を有する。ケース６６０内には、回路基板６の配線と電気的に接続される端子が収容されている。尚、ケース６６０は、垂直方向（Ｚ軸）における回路基板６の上側の面からケース６６０の上側の面までの距離と、回路基板６の上側の面からカバー８の上側の面までの距離とが、同様な距離となるような高さに設定されているものとする。レバー６６２は、タンジェンシャル方向（Ｙ軸）に沿った回動軸（不図示）を中心に回動できるように、ケース６６０の−Ｘ側の端部に取り付けられる。例えば、コネクタ６６に対してフレキシブルケーブル１０２（図１８）が着脱さえるときに、レバー６６２は操作される。フレキシブルケーブル１０２の一端には、コネクタ６６の端子と電気的に接続される端子が設けられ、フレキシブルケーブル１０２の他端は、光ピックアップ装置１００を制御するための制御回路と電気的に接続されているものとする。
【００６２】
＝＝＝ＦＰＣ＝＝＝
以下、図８乃至図１３を参照して、本実施形態におけるＦＰＣについて説明する。図１１は、本実施形態におけるＦＰＣの一部とフロントモニタダイオードとを示す斜視図である。尚、図１１においてＸ１軸は、対向片７０４及び対向片７０３に対して直交する方向に沿う軸であり、対向片７０３から対向片７０４へ向かう方向を＋Ｘ１とし、対向片７０４から対向片７０３に向かう方向を−Ｘ１とする。Ｙ１軸は、実装部７１が延びる方向に沿う軸であり、一方側から他方側に向かう方向を＋Ｙ１とし、他方側から一方側に向かう方向を−Ｙ１とする。Ｚ軸は、Ｘ１軸及びＹ１軸に対して直交する方向に沿う軸であり、下側から上側に向かう方向を＋Ｚとし、上側から下側に向かう軸を−Ｚとする。電子部品７０の一部及び、フロントモニタダイオード１９の一部は、見えない状態となっているが、説明の便宜上、点線で示されている。図１２は、本実施形態におけるＦＰＣが固定された状態のハウジングの一部を示す斜視図である。図１３は、本実施形態におけるＦＰＣが固定された状態のハウジングを示す断面図である。尚、図１３では、図１２のＢ１―Ｂ２断面から見た状態のＦＰＣとハウジングとフロントモニタダイオードが示されている。
【００６３】
ＦＰＣ７には、フロントモニタダイオード１９及び光検出器１３が搭載（配置）される。ＦＰＣ７は、フロントモニタダイオード１９及び光検出器１３と、光ピックアップ装置１００の制御回路とが電気的に接続されるように、フロントモニタダイオード１９及び光検出器１３と、回路基板６との間を中継する。更に、ＦＰＣ７は、フロントモニタダイオード１９がハウジング２に対して固定されるように、フロントモニタダイオード１９を保持する。
【００６４】
ＦＰＣ７（図９）は、例えば、回路基板６のタンジェンシャル方向における−Ｙ側の端部から、トラッキング方向（Ｘ軸）において−Ｘ側に向かって延びた形状を呈する。ＦＰＣ７は、孔７１３、７１４、実装部７１（可撓性部材）、実装部７２を有する。孔７１３、７１４は、ハウジング２に対するＦＰＣ７の位置決めを行うに用いられる。孔７１３、７１４は、ハウジング２に対してＦＰＣ２が固定されるときに、ハウジング２の突起２７３、２７４（図５）と対向する位置に設けられる。
【００６５】
実装部７２は、ＦＰＣ７に対して光検出器１３を実装するためのＦＰＣ７の一部である。実装部７２は、タンジェンシャル方向におけるＦＰＣ７の一方側（−Ｙ）の端部が下側（−Ｚ）に向かって折れ曲がるような形状を呈する。実装部７２には、光検出器１３とＦＰＣ７の配線（不図示）（以下、「第１の配線」と称する）とが電気的に接続されるように、光検出器１３が取り付けられる。ここで、例えば、実装部７２には、第１の配線の一端が端子（不図示）（以下、「第１の配線の端子」と称する）として導出されているものとする。尚、第１の配線の他端は、回路基板６を介してコネクタ６６の端子と電気的に接続されているものとする。光検出器１３は、第１の配線の端子に対して例えば半田等を用いて接続される。
【００６６】
実装部７１は、フロントモニタダイオード１９が配置されるＦＰＣ７の一部である。実装部７１は、ハウジング２に対してフロントモニタダイオード１９が位置決めされるように、フロントモニタダイオード１９に対して弾性力を付与する。尚、弾性力については、後述する。実装部７１は、トラッキング方向における回転軸５０に近い側（−Ｘ）のＦＰＣ７の端部が下側に向かって折れ曲がるような形状を呈する。つまり、実装部７１は、ＦＰＣ７の一部としてＦＰＣ７の端部に形成されている。実装部７１は、シートの形状を呈する。実装部７１は、例えば、Ｚ軸とＹ１軸とで形成される平面（図１１）と平行であり且つ弾性を有する可撓性の一枚の略矩形形状の薄板を、フォーカス方向（Ｚ軸）を中心に略楕円形状（環状）となるように曲げて形成される。尚、当該薄板は、例えば、当該薄板に対して加えられた外力が取り除かれた際に一枚の薄板形状に戻るような弾性範囲内で曲げられているものとする。実装部７１は、互いに対向する対向片７０３、７０４が形成されるように、Ｙ１方向に沿って延びた形状を呈する。実装部７１を形成する薄板の一方の端７０１と他方の端７０２とが対向片７０４における対向片７０３と対向する側（−Ｘ１）の面に当接するように、実装部７１における一方の端７０１側の一方の端部と、実装部７１における他方の端７０２側の他方の端部とは、互いに係合される。
【００６７】
例えば、対向面７０３に対して対向片７０３側（−Ｘ１）から対向片７０４側（＋Ｘ１）側に向かう外力が加えられるとともに、対向片７０４に対して対向片７０４側から対向片７０３側に向かう外力が加えられた場合、Ｘ１軸方向において対向片７０３と対向片７０４とが互いに近づくように、実装部７１が変形することとなる。この場合、対向片７０３における＋Ｘ１方向から−Ｘ１方向に向かう弾性力と、対向片７０４における−Ｘ１方向から＋Ｘ１方向に向かう弾性力とが生じることとなる。つまり、実装部７１の径方向において、内側から外側に向かう弾性力が生じることとなる。
【００６８】
又、Ｘ１方向における実装部７１の幅Ｄ１は、実装部７１がハウジング２の孔２７１内に配設されたときに、実装部７１の弾性力によって、ハウジング２に対して、フロントモニタダイオード１９が固定されている実装部７１が保持されるような長さに設定される。実装部７１の幅Ｄ１は、例えば、孔２７１内（図１３）で実装部７の径における外側に向かう方向の弾性力が発生するように、例えば、孔２７１の幅Ｄ７よりも長くなるように設定されているものとする。尚、ハウジング２に対する実装部７１の保持については、後述する。
【００６９】
更に、対向片７０４における対向片７０３と対向する側とは反対側（＋Ｘ１）の面には、フロントモニタダイオード１９（図１３）が例えば接着剤等で固定される。フロントモニタダイオード１９は、実装部７１が孔２７１内に配設されたときに、ハーフミラー１５からのレーザ光が照射されるように、対向片７０４に対して例えば接着剤等を用いて固定される。フロントモニタダイオード１９は、フロントモニタダイオード１９とＦＰＣ７の配線（不図示）（以下、「第２の配線」と称する）とが電気的に接続されるように、対向片７０４に対して固定される。ここで、例えば、実装部７１の対向片７０４には、第２の配線の一端が端子（不図示）（以下、「第２の配線の端子」と称する）として導出されているものとする。尚、第２の配線の他端は、回路基板６を介してコネクタ６６の端子と電気的に接続されているものとする。フロントモニタダイオード１９は、第２の配線の端子に対して例えば半田等を用いて接続される。
【００７０】
更に、対向片７０４における対向片７０３と対向する側とは反対側（＋Ｘ１）の面には、フロントモニタダイオード１９に付随する電子部品７０、例えばチップ部品のコンデンサが半田付けで固定される。フロントモニタダイオード１９は、孔２７１の内部に挿入された実装部７１が所定位置で止まるように、実装部２７１の移動を突出片２９０Ａとともに規制する役割を担っている。尚、フロントモニタダイオード１９、突出片２９０Ａが規制部材に相当する。
【００７１】
所定位置は、例えば、実装部２７１に固定されているフロントモニタダイオード１９に対してレーザ光源１１からのレーザ光が照射される位置である。尚、突出片２９０Ａ、フロントモニタダイオード１９に対するレーザ光の照射については、後述する。フロントモニタダイオード１９は、例えば略矩形柱形状を呈する。フロントモニタダイオード１９は、対向面７０４に対して例えば半田付けされ、環状に曲げられた実装部７１の外側に設けられる。
【００７２】
突出片２９０Ａ（図１３）は、孔２７１の内部に挿入された実装部７１が所定位置で止まるように、実装部２７１の移動をフロントモニタダイオード１９とともに規制する。突出片２９０Ａは、孔２７１の内部に設けられる。突出片２９０Ａは、フロントモニタダイオード１９の下側（−Ｚ）側の端部が当接されるように、フロントモニタダイオード１９と対向する位置に設けられる。突出片２９０Ａの上部（＋Ｚ）には、フロントモニタダイオード１９の下側の端部が当接される当接面２９０が形成されている。
【００７３】
又、フォーカス方向におけるフロントモニタダイオード１９の長さＤ３は、実装部７１が孔２７１内に配設されたときにフロントモニタダイオード１９がハウジング２の上側（＋Ｚ）に突出しないように、フォーカス方向における当接面２９０からハウジング２の上側の面までの距離Ｄ４よりも短く設定される。
【００７４】
ＦＰＣ７００（図９）は、例えば、回路基板６のタンジェンシャル方向における＋Ｙ側の端部から、トラッキング方向（Ｘ軸）において−Ｘ側に向かって延びた形状を呈する。ＦＰＣ７００は、アクチュエータ３と、光ピックアップ装置１００の制御回路とが電気的に接続されるように、アクチュエータ３と、光ピックアップ装置１００の制御回路との間を中継する。アクチュエータ３と光ピックアップ装置１００の制御回路とが電気的に接続されるように、アクチュエータ３は、ＦＰＣ７００の配線に対して例えば半田等を用いて電気的に接続される。ＦＰＣ７００は、回路基板６の他方側（＋Ｙ）の端部に、例えば接着剤等で固定される。更に、アクチュエータ３がコネクタ６６を介して光ピックアップ装置１００の制御回路と電気的に接続されるように、ＦＰＣ７００の配線は、回路基板６の配線に対して、例えば半田等で電気的に接続される。尚、当該回路基板６の配線は、コネクタ６６を介して光ピックアップ装置１００の制御回路と電気的に接続されるように、コネクタ６６の端子と電気的に接続されているものとする。
【００７５】
＝＝＝カバー＝＝＝
以下、図１４、図１５を参照して、本実施形態におけるカバーについて説明する。  
図１４は、本実施形態におけるカバーを示す斜視図である。図１５は、本実施形態におけるカバーを示す断面図である。尚、図１５では、図１４のＣ１−Ｃ２断面から見た状態のカバーが示されている。
【００７６】
カバー８は、ハウジング２を上側（＋Ｚ）から覆う金属製の蓋である。カバー８は、例えば、１枚の金属板を折り曲げ加工して成型される。カバー８は、取付片８１乃至８４、窪み８６０、孔８７０、孔８１１、８１２、凸部８１３（図１５）、接触片８６１、８６２、８７１、８７２、第１の切り欠き８５１、第２の切り欠き８５２を有する。
【００７７】
取付片８１乃至８４は、ハウジング２に対してカバー８を固定するための部材である。取付片８１乃至８４は夫々、ハウジング２の爪２６１、孔２６５、端部２３の爪、雌ネジ２５と対向する位置に設けられる。取付片８１乃至８３は、カバー８から光ディスク５（図３）側とは反対側（−Ｚ）に向かって、折り曲げられた形状を呈する。取付片８４は、カバー８から光ディスク５側とは反対側に向かって、折り曲げられた後、ハウジング２の雌ネジ２５が設けられている面と平行となるように＋Ｘ側に向かって折り曲げられた形状を呈する。取付片８１には、孔８１Ａが設けられる。孔８１Ａには、爪２６１に対して取付片８１が固定されるように、爪２６１が挿通される。そして、取付片８１と爪２６１とが係合されることとなる。取付片８２は、孔２６５に挿入されてハウジング２に固定されるように、例えば略コ字形状を呈する。孔２６５内に取付片８２を挿入した際に、取付片８２と孔２６５内の係合部とが係合されることとなる。取付片８３には、孔８３Ａが設けられる。孔８３Ａには、端部２３の爪に対して取付片８３が固定されるように、端部２３の爪が挿通される。そして、取付片８３と端部２３の爪とが係合されることとなる。取付片８４には、雄ネジ１０１が挿通される孔８４Ａが設けられる。取付片８４は、雄ネジ１０１によって、ハウジング２の雌ネジ２５が形成さている一部に対して固定されることとなる。
【００７８】
孔８７０は、ハウジング２に対してカバー８が固定された際に、対物レンズ６１１（図４）が露出するように、レンズホルダ３００と対向する位置に形成される。
【００７９】
接触片８７１、８７２は夫々、ハウジング２に対してカバー８が固定された際に、アクチュエータ３のフレームの一部３５１、３５２と対向する位置に設けられる。接触片８７１、８７２は、接触片８７１、８７２の先端夫々が、アクチュエータ３の一部３５１、３５２と接触するように、下側（−Ｚ）側に向かって折り曲げられた形状を呈する。
【００８０】
窪み８６０は、カバー８の上側の面における、第２の切り欠き８５２、孔８６３が設けられている位置に形成される。尚、孔８６３については、後述する。窪み８６０内の底には、第２の切り欠き８５２の一部及び孔８６３を上側（＋Ｚ）側から塞ぐための、シール８８１（図１８）が貼付される。窪み８６０は、シール８８１の厚み分だけ窪んでいるものとする。
【００８１】
接触片８６１、８６２は、ハウジング２に対してカバー８が固定された際に、回路基板６に塗布された放熱ゲル５５２と対向する位置に設けられる。尚、放熱ゲル５５２については、後述する。接触片８６１、８６２は、接触片８６１、８６２の先端が、放熱ゲル５５２と接触するように、下側に向かって折り曲げられた形状を呈する。接触片８６１、８６２は、接触片８６１、８６２の先端が、タンジェンシャル方向において互いに対向するように、折り曲げられる。よって、接触片８６１、８６２が設けられるカバー８の一部には、孔８６３が形成されることなる。
【００８２】
第１の切り欠き８５１は、ハウジング２に対してカバー８が固定された際にコネクタ６６が露出するように、カバー８の＋Ｘ側の端部に設けられる。
【００８３】
第２の切り欠き８５２は、コネクタ６６のレバー６６２を操作できるように、第１の切り欠き８５１によって抉られたカバー８の＋Ｘ側の端部８９３に設けられる。
【００８４】
孔８１１、８１２は夫々、ハウジング２の突起２７３、２７４（図４）が挿通されるように、ハウジング２に対してカバー８が固定されたときに突起２７３、２７４と対向する位置に設けられる。
【００８５】
凸部８１３（図１５）は、実装部７１（図１３）が孔２７１内に配設されたときに、フォーカス方向（Ｚ軸）におけるハウジング２に対する実装部７１の位置決め及び固定を、フロントモニタダイオード１９とともに行うためのカバー８の一部である。凸部８１３（図１５）は、カバー８１３の下側（−Ｚ）側に向かって突出するように、例えばプレス加工等によって形成される。凸部８１３は、ハウジング２に対してカバー８が固定されたときに孔２７１と対向する位置に形成される。凸部８１３のＸ１方向の幅Ｄ６は、孔２７１内に配設された実装部７１を上側（＋Ｚ）から押下できるように、例えば、Ｘ１方向における孔２７１の幅Ｄ７よりも短く設定されている。凸部８１３の垂直方向（Ｚ軸）の長さＤ５は、孔２７１内に配設された実装部７１の垂直方向の移動を規制できるような長さに設定されている。
【００８６】
＝＝＝ハウジングに対するフロントモニタダイオードの保持＝＝＝
以下、図１２、図１３、図１５を参照して、本実施形態におけるハウジングに対するＦＰＣの保持について説明する。
【００８７】
フロントモニタダイオード１９（図１３）は、ＦＰＣ７の対向片７０４における対向片７０３と対向する側とは反対側（＋Ｘ１）の面に例えば接着剤等で固定される。ＦＰＣ７の孔７１３、７１４に対して夫々、ハウジング２の突起２７３、２７４が挿通されて、ハウジング２に対するＦＰＣ７の位置決めが行われる。  
ＦＰＣ７の実装部７１、７２が夫々、ハウジング２の孔２７１、２７２内に挿入される。
【００８８】
実装部７２に固定されている光検出器１３は、孔２７２内に配設された状態でハウジング２に対して固定される。尚、光検出器１３は、検出レンズ１４からのレーザ光の反射光が光検出器１３に照射されるように、ハウジング２に対して例えば接着剤等を用いて固定されることとしてもよい。
【００８９】
実装部７１は、フロントモニタダイオード１９が固定されている実装部７１が、孔２７１内に挿入されるように、対向面７０３、７０４に対して外力が加えられた状態で孔２７１内に配設される。実装部７１は、フロントモニタダイオード１９の底面が当接面２９０と当接するように、ハウジング２の上側（＋Ｚ）から挿入される。実装部７１は、フロントモニタダイオード１９に対してハーフミラー１５からのレーザ光が照射されるように、孔２７１内に配設される。尚、ハウジング２におけるフロントモニタダイオード１９と対向している対向面２９４には、フロントモニタダイオード１９に対してレーザ光を照射するための孔（不図示）が設けられているものとする。このとき、実装部７１とフロントモニタダイオード１９とはＸ１軸において互いに隣り合うように孔２７１内に配設されることとなる。フロントモニタダイオード１９における＋Ｘ１側の面は、実装部７１の弾性力によって、孔２７１内の対向面２９４に押し付けられる。又、対向片７０３における−Ｘ１側の面は、実装部７１の弾性力によって、孔２７１内の対向面２９３に押し付けられる。そして、実装部７１、フロントモニタダイオード１９は、孔２７１内においてハウジング２に対して保持されることとなる。つまり、フロントモニタダイオード１９は、環状に曲げられている実装部７１から付与される弾性力によって、ハウジング２に対して位置決めされることとなる。ここで、実装部７１は、孔２７１内に配設されている際の、Ｙ１方向（図１１）における実装部７１の幅が、Ｙ１方向における孔２７１の幅Ｄ２１（図１２）と略同様となるように形成されているものとする。よって、孔２７１内に配設されている実装部７１のＹ１方向の移動が規制されることとなる。
【００９０】
更に、実装部７１が孔２７１内に配設された後、ハウジング２に対してカバー８が固定される。このとき、実装部７１は、カバー８の凸部８１３によって上側（＋Ｚ）から下側（−Ｚ）に向かって押下されることとなる。よって、実装部７１のフロントモニタダイオード１９の底面（−Ｚ）と当接面２９０とが当接した状態で、実装部７１の垂直方向（Ｚ軸）の移動が規制されることとなる。
【００９１】
又、ハウジング２に対してカバー８が固定されたとき、ハウジング２の突起２７３、２７４は夫々、ＦＰＣ７の孔７１３、７１４を介して、カバー８１１、８１２の孔に挿通されることとなる。よって、ハウジング２に対してＦＰＣ７が固定されることとなる。尚、ハウジング２の突起２７３、２７４の垂直方向の長さは、ハウジング２に対してカバー８が固定されたときに突起２７３、２７４の先端がカバー８の上側（＋Ｚ）に突出しないような高さに設定されているものとする。
【００９２】
＝＝＝光ピックアップ装置の組み立て＝＝＝
以下、図４、図６、図８、図１２、図１６乃至図１８を参照して、本実施形態における光ピックアップ装置の組み立てについて説明する。図１６は、本実施形態における、光ディスクと対向する側とは反対側から見た状態の、光学素子が固定されたハウジングを示す斜視図である。図１７は、本実施形態における、第１及び第２放熱板と回路基板とを示す斜視図である。図１８は、本実施形態における、ケーブルが取り付けられた状態の光ピックアップ装置を示す斜視図である。
【００９３】
光ピックアップ装置１００の光学部品が、ハウジング２に載置される（図６）。光ピックアップ装置１００の光学部品は、例えば、接着剤等を用いてハウジング２に固定される。レーザ光源１１は、溝２５５乃至２５８に塗布される接着剤によって、ハウジング２に固定される。
【００９４】
第１放熱板４１、第２放熱板４２が、ハウジング２に対して位置決めされる。第１放熱板４１は、孔４１１に対して爪２６２が挿通されて、爪２６２と第１放熱板４１とが係合することによって、ハウジング２に対して固定される。
【００９５】
回路基板６（図８）が、ハウジング２に対して位置決めされる。更に、回路基板６が、ハウジング２の爪２６３、２６４によって、ハウジング２に対して固定（仮止め）される。ここで、回路基板６には孔６５５が形成されているので、回路基板６とレーザ光源１１の支持部材１１６（図７）とが干渉せずに、ハウジング２に対して回路基板６が固定されることとなる。この後、ＦＰＣ７、７００が、例えば半田等を用いて回路基板６に対して固定される。前述したように、ハウジング２に対してＦＰＣ７の実装部７１、７２が固定される。ハウジング２（図１６）の裏側（−Ｚ）から孔２５Ａを介して、レーザ光源１１の端子１１１乃至１１３が夫々、回路基板６の端子６２１乃至６２３と、例えば半田等を用いて電気的に接続される。更に、端子１１１乃至１１３（図１７）は、例えば、放熱ゲル５５３を介して第１放熱板４１に接続される。尚、放熱ゲル５５３は、端子１１１乃至１１３と第１放熱板４１とが電気的に接続されないような絶縁性のゲルである。更に、放熱ゲル５５３は、レーザ光源１１で発生する熱が放熱ゲル５５３を介して第１放熱板４１に伝達されるような、熱伝導率の比較的高いゲルである。更に、回路基板６の上側の面（図８）には、放熱ゲル５５３と同様な放熱ゲル５５１、５５２が塗布される。放熱ゲル５５１は、例えば、ハウジング２に対してカバー８が固定されたときにカバー８と接触するように塗布される。放熱ゲル５５２は、ハウジング２に対してカバー８が固定されたときに接触片８６１、８６２（図１４）の先端が接触するように、開口８６３と対向する位置に塗布される。
【００９６】
アクチュエータ３が、ハウジング２（図４）に載置される。アクチュエータ３は、例えば、接着剤等を用いてハウジング２に固定される。
【００９７】
カバー８が、ハウジング２に対して固定される。例えば、ハウジング２に対して、カバー８の取付片８１乃至８３が係合される。その後、雄ネジ１０１が、カバー８の孔８４Ａ、回路基板６の孔６５、第２放熱板４２の孔４２２を介してハウジング２の雌ネジ２５にねじ入れられる。そして、ハウジング２に対して、光ピックアップ装置１００の光学部品、アクチュエータ３、第１放熱板４１、第２放熱板４２、回路基板６、ＦＰＣ７、７００、カバー８が固定される。
【００９８】
カバー８の孔８６３（図１４）が塞がれるように、シール８８１（図１８）がカバー８の上側（＋Ｚ）の面に、例えば接着剤等で貼付される。そして、光ピックアップ装置１００が組み立てられることとなる。
【００９９】
前述したように、複数の構成部品は、光ディスク５の信号記録面に対して信号の記録又は再生動作が行われるように、レーザ光源１１から出射されたレーザ光を案内する光学系を構成する。ハウジング２には、レーザ光源１１と複数の構成部品とが載置される。ハウジング２には、複数の構成部品のうちのフロントモニタダイオード１９を位置決めするための孔２７１が設けられる。実装部７１は、孔２７１の内部において、フロントモニタダイオード１９が位置決めされるようにフロントモニタダイオード１９に対して弾性力を付与する。よって、例えば、接着剤等を用いずに、ハウジング２に対するフロントモニタダイオード１９の位置決めを行うことができる。フロントモニタダイオード１９の位置決めが容易な光ピックアップ装置１００を提供することができる。又、フロントモニタダイオード１９は、孔２７１の内部において、実装部７１の弾性力によって位置決めされているので、フロントモニタダイオード１９をハウジング２から容易に取り外すことができる。従って、例えば、ハウジング２の孔２７１の内部の清掃が容易となるために、メンテナンス性の高い光ピックアップ装置１００を提供することができる。
【０１００】
又、実装部７１は、シートの形状を呈し、孔２７１の内部において環状に曲げられている。実装部７１は、孔２７１の内部において、実装部７１と隣り合っているフロントモニタダイオード１９に対して弾性力を付与する。フロントモニタダイオード１９は、実装部７１から付与される弾性力によって、孔２７１内の対向面２９４に押し付けられて、ハウジング２に対して固定される。つまり、フロントモニタダイオード１９の位置決めを確実に行うことができる。
【０１０１】
又、フロントモニタダイオード１９、突出部２９０Ａは、実装部７１が孔２７１の内部の所定位置で止まるように、実装部７１の移動を規制する。よって、例えば、実装部７１が孔２７１から外れるのを防止して、フロントモニタダイオード１９の位置決めを確実に行うことができる。又、実装部７１が孔２７１の内部の所定位置で止められるので、光ピックアップ装置１００の組み立てが容易となる。従って、組み立てが容易な光ピックアップ装置１００を提供することができる。
【０１０２】
又、フロントモニタダイオード１９は、環状に曲げられた実装部７１の外側に設けられる。突出片２９０Ａは、フロントモニタダイオード１９が当接するべく孔２７１の内部に設けられる。フロントモニタダイオード１９と突出片２９０Ａとの当接によって、実装部７１の移動が確実に規制される。よって、フロントモニタダイオード１９の位置決めを確実に行うことができる。又、フロントモニタダイオード１９と突出片２９０Ａとが孔２７１の内部に設けられることとなるので、ハウジング２の外形をコンパクト化して、コンパクトな光ピックアップ装置１００を提供することができる。
【０１０３】
カバー８は、ハウジング２を覆ったとき、フロントモニタダイオード１９が突出片２９０Ａに当接するように実装部７１を押下する形状を呈する。よって、実装部７１は、フロントモニタダイオード１９と突出片２９０Ａとが当接された状態で、ハウジング２に対して固定されることとなる。従って、例えば、ハウジング２に対する実装部７１の位置ずれに基づいて、フロントモニタダイオード１９の位置ずれが生じるのを防止することができる。従って、フロントモニタダイオード１９の位置決めを確実に行うことができる。
【０１０４】
実装部７１は、ハウジング２に載置されるＦＰＣ７の一部としてＦＰＣ７の端部に形成される。よって、例えば、フロントモニタダイオード１９の位置決めを行うための部材を、ＦＰＣ７とは別に設ける必要がなく、光ピックアップ装置１００の部品点数を減らすことができる。従って、光ピックアップ装置１００を低コストで提供することができる。
【０１０５】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【０１０６】
本実施形態においては、フロントモニタダイオード１９（図１３）と突出片２９０Ａとによって実装部７１が孔２７１の内部の所定位置で止められる構成について説明したが、これに限定されるものではない。例えば、実装部７１（図１３）が孔２７１内に上側（＋Ｚ）から挿入されたときに、実装部７１における対向片７０４、７０３の下側（−Ｚ）の端部と当接する突出片を孔２７１内に設けてもよい。この場合、実装部７１における対向片７０３、７０４の双方が孔２７１内の突出片に当接するので、実装部７１を孔２７１内の所定位置で確実に止めることができる。更に、光ピックアップ装置１００の部品点数を減らすことができる。又、例えば、フロントモニタダイオード１９以外の付属の電子部品７０（図１３）が固定されている実装部７１が、上側から孔２７１内に挿入されたときに、電子部品７０の下側の端部と当接する突出片を孔２７１内に設けてもよい。この場合、電子部品７０の下側の端部と、突出片とが当接することによって、実装部７１が孔２７１内の所定位置で止まることとなる。よって、ハウジング２に対するフロントモニタダイオード１９の位置決めを確実に行うことができることとなる。
【０１０７】
又、本実施形態においては、光ピックアップ装置１００における複数の光学素子のうちのフロントモニタダイオード１９の位置決めを、ＦＰＣ７を用いて行う構成について説明したが、これに限定されるものではない。例えば、光ピックアップ装置１００における複数の光学素子のうち、フロントモニタダイオード１９以外の光学素子の位置決めを、ＦＰＣ７を用いて行うこととしてもよい。
【符号の説明】
【０１０８】
２          ハウジング
５          光ディスク
６          回路基板
７、７００  ＦＰＣ
８          カバー
１１        レーザ光源
１２        回折格子
１３        光検出器
１４        検出レンズ
１５        ビームスプリッタ
１６        １／４波長板
１７        コリメータレンズ
１８        立ち上げミラー
１９        フロントモニタダイオード
５０        回転軸
７０        電子部品
２９０Ａ    突出片
７１、７２  実装部
２７１、２７２  孔
【図１】
2014021997.tif 000003
【図２】
2014021997.tif 000004
【図３】
2014021997.tif 000005
【図４】
2014021997.tif 000006
【図５】
2014021997.tif 000007
【図６】
2014021997.tif 000008
【図７】
2014021997.tif 000009
【図８】
2014021997.tif 000010
【図９】
2014021997.tif 000011
【図１０】
2014021997.tif 000012
【図１１】
2014021997.tif 000013
【図１２】
2014021997.tif 000014
【図１３】
2014021997.tif 000015
【図１４】
2014021997.tif 000016
【図１５】
2014021997.tif 000017
【図１６】
2014021997.tif 000018
【図１７】
2014021997.tif 000019
【図１８】
2014021997.tif 000020